(57)【要約】【課題】手振れ補正機構を有する撮像装置において手振れ補正性能と静音性能とのバランスを適切にとる。【解決手段】デジタルカメラでは、ＣＣＤを移動させることによって手振れ補正を行う手振れ補正機構を備えている。手振れ補正機構のアクチュエータへの駆動電流値は、環境音の音量が比較的大きいときは高電流値に設定され（ステップＳＴ１３）、環境音の音量が比較的小さいときは低電流値に設定される（ステップＳＴ１４）。これにより、環境音の音量が比較的大きいときは手振れ補正性能を向上でき、一方、環境音の音量が比較的小さいときは静音性能を向上して、駆動音による弊害を防止できる。【選択図】図７
2006074652.tif 000002
【特許請求の範囲】
【請求項１】
撮像装置であって、
撮影レンズを介して結像される光像の一部領域を画像として取得する撮像手段と、
前記撮像装置の振動に応じて前記一部領域と前記光像との相対的な位置を変更することにより、前記画像中の被写体像のぶれを抑制する手振れ補正手段と、
前記撮像装置が配置されている環境状態を検出する状態検出手段と、
前記手振れ補正手段の駆動音量に影響する前記手振れ補正手段の制御値を、前記環境状態に応じて変更する変更手段と、
を備えることを特徴とする撮像装置。
【請求項２】
請求項１に記載の撮像装置において、
前記状態検出手段は、環境音を検出する音声検出手段、
を含み、
前記変更手段は、前記環境音の音量に応じて前記制御値を変更することを特徴とする撮像装置。
【請求項３】
請求項２に記載の撮像装置において、
前記撮像手段で取得された画像に基づいて動画像を生成する生成手段と、
前記環境音を付加した前記動画像を動画ファイルとして記録する記録手段と、
をさらに備えることを特徴とする撮像装置。
【請求項４】
請求項２または３に記載の撮像装置において、
前記変更手段は、
前記環境音の音量がしきい値よりも大きいときは、前記駆動音量が比較的大きくなる第１値に前記制御値を設定し、
前記環境音の音量が前記しきい値よりも小さいときは、前記駆動音量が比較的小さくなる第２値に前記制御値を設定することを特徴とする撮像装置。
【請求項５】
請求項１ないし４のいずれかに記載の撮像装置において、
前記変更手段を能動化するか否かの能動設定をユーザから受け付ける第１受付手段、
をさらに備え、
前記変更手段は、前記能動設定に従って能動化／非能動化されることを特徴とする撮像装置。
【請求項６】
請求項５に記載の撮像装置において、
前記変更手段を非能動化するときに前記制御値に設定すべきユーザ設定値をユーザから受け付ける第２受付手段、
をさらに備え、
前記変更手段を非能動化するとき、前記制御値は前記ユーザ設定値に設定されることを特徴とする撮像装置。
【請求項７】
請求項４に記載の撮像装置において、
前記制御値が前記第１値のときは、前記しきい値を比較的小さく設定し、
前記制御値が前記第２値のときは、前記しきい値を比較的大きく設定するしきい値設定手段、
をさらに備えることを特徴とする撮像装置。
【請求項８】
請求項１ないし４のいずれかに記載の撮像装置において、
前記変更手段は、前記変更手段が前記制御値を変更してから所定時間が経過するまでの間、非能動化されることを特徴とする撮像装置。
【発明の詳細な説明】
【技術分野】
【０００１】
本発明は、画像中の被写体像のぶれを抑制する手振れ補正手段を有する撮像装置に関する。
【背景技術】
【０００２】
一般に、人間の手のみによって撮像装置を保持して被写体の撮影を行う場合、微小な撮像装置の振動が生じ、被写体に対して相対的に撮影レンズの光軸が移動することから、取得される画像中において「手振れ（カメラぶれ）」と呼ばれる被写体像のぶれが生じる。
【０００３】
従来より、このような手振れを補正するための手振れ補正機構を有するデジタルカメラなどの撮像装置が知られている。このような手振れ補正機構は、撮像装置の振動を複数の角速度センサ等により検出し、検出された振動に応じて撮影レンズ内の補正レンズあるいは撮像素子等を移動させることにより、撮影レンズによって結像される光像（イメージサークル）と撮像素子により取得される領域との相対位置を変更して、手振れを補正するようになっている（例えば、特許文献１参照。）。
【０００４】
その他、この出願に関連する先行技術文献情報として特許文献２がある。
【０００５】
【特許文献１】特開２００３−１１０９２９号公報
【特許文献２】特開２００２−３４４７８７号公報
【発明の開示】
【発明が解決しようとする課題】
【０００６】
ところで、上記のような手振れ補正機構は、補正レンズや撮像素子を移動させるものであるため、手振れ補正動作にあたって駆動音が生じることになる。しかしながら、このような駆動音が発生すると、種々の弊害を生じる。
【０００７】
例えば、博物館や展覧会場等の静粛さが要求される場所においては、手振れ補正機構の駆動音は周囲の迷惑となる可能性がある。また、撮像素子にて得られる動画像とマイクによって得られる環境音（音声）とを同時に記録することが可能な撮像装置では、記録される音声に手振れ補正機構の駆動音がノイズとして含まれてしまう可能性がある。
【０００８】
このようなことから手振れ補正機構の駆動音量は、できるだけ低減することが好ましい。この駆動音量の低減の一の手法としては、手振れ補正機構を駆動する駆動電流値を低下させることが考えられる。しかしながら、単に一律に駆動電流値を低下させると、駆動音量だけでなく手振れ補正性能までも低下してしまう。つまり、駆動音量の低下させる静音性能を優先すると手振れ補正性能が悪化し、逆に、手振れ補正性能を優先すると静音性能が悪化するというように、「静音性能」と「手振れ補正性能」とが相反して競合することになる。
【０００９】
本発明は、上記課題に鑑みてなされたものであり、静音性能と手振れ補正性能とのバランスを適切にとることができる撮像装置を提供することを目的とする。
【課題を解決するための手段】
【００１０】
上記課題を解決するため、請求項１の発明は、撮像装置であって、撮影レンズを介して結像される光像の一部領域を画像として取得する撮像手段と、前記撮像装置の振動に応じて前記一部領域と前記光像との相対的な位置を変更することにより、前記画像中の被写体像のぶれを抑制する手振れ補正手段と、前記撮像装置が配置されている環境状態を検出する状態検出手段と、前記手振れ補正手段の駆動音量に影響する前記手振れ補正手段の制御値を、前記環境状態に応じて変更する変更手段と、を備えている。
【００１１】
また、請求項２の発明は、請求項１に記載の撮像装置において、前記状態検出手段は、環境音を検出する音声検出手段、を含み、前記変更手段は、前記環境音の音量に応じて前記制御値を変更する。
【００１２】
また、請求項３の発明は、請求項２に記載の撮像装置において、前記撮像手段で取得された画像に基づいて動画像を生成する生成手段と、前記環境音を付加した前記動画像を動画ファイルとして記録する記録手段と、をさらに備えている。
【００１３】
また、請求項４の発明は、請求項２または３に記載の撮像装置において、前記変更手段は、前記環境音の音量がしきい値よりも大きいときは、前記駆動音量が比較的大きくなる第１値に前記制御値を設定し、前記環境音の音量が前記しきい値よりも小さいときは、前記駆動音量が比較的小さくなる第２値に前記制御値を設定する。
【００１４】
また、請求項５の発明は、請求項１ないし４のいずれかに記載の撮像装置において、前記変更手段を能動化するか否かの能動設定をユーザから受け付ける第１受付手段、をさらに備え、前記変更手段は、前記能動設定に従って能動化／非能動化される。
【００１５】
また、請求項６の発明は、請求項５に記載の撮像装置において、前記変更手段を非能動化するときに前記制御値に設定すべきユーザ設定値をユーザから受け付ける第２受付手段、をさらに備え、前記変更手段を非能動化するとき、前記制御値は前記ユーザ設定値に設定される。
【００１６】
また、請求項７の発明は、請求項４に記載の撮像装置において、前記制御値が前記第１値のときは、前記しきい値を比較的小さく設定し、前記制御値が前記第２値のときは、前記しきい値を比較的大きく設定するしきい値設定手段、をさらに備えている。
【００１７】
また、請求項８の発明は、請求項１ないし４のいずれかに記載の撮像装置において、前記変更手段は、前記変更手段が前記制御値を変更してから所定時間が経過するまでの間、非能動化される。
【発明の効果】
【００１８】
請求項１ないし８の発明によれば、環境状態に応じて手振れ補正手段の制御値を変更するため、静音性能と手振れ補正性能とのバランスを適切にとることができる。
【００１９】
また、特に請求項２の発明によれば、環境音の音量に応じて駆動音による弊害の程度は変化することから、環境音の音量に応じて制御値を変更することで、静音性能と手振れ補正性能とのバランスをさらに適切にとることができる。
【００２０】
また、特に請求項３の発明によれば、記録される動画ファイル中に含まれる環境音に対する、手振れ補正手段の駆動音のノイズとしての影響を抑制することができる。
【００２１】
また、特に請求項４の発明によれば、環境音の音量が小さいときは静音性能を向上させて、手振れ補正手段の駆動音による弊害を効果的に防止できる一方、環境音の音量が大きいときは駆動音量が多少大きくとも弊害は少ないため、手振れ補正性能を向上できる。
【００２２】
また、特に請求項５の発明によれば、ユーザが所望のときには、静音性能が変更されないように設定することができる。
【００２３】
また、特に請求項６の発明によれば、静音性能の程度をユーザが所望に設定することができる。
【００２４】
また、特に請求項７の発明によれば、一旦制御値が変更されると制御値がすぐには変更されないため、駆動音量が頻繁に変更されることを防止できる。
【００２５】
また、特に請求項８の発明によれば、一旦制御値が変更されると制御値がすぐには変更されないため、駆動音量が頻繁に変更されることを防止できる。
【発明を実施するための最良の形態】
【００２６】
以下、図面を参照しつつ本発明の実施の形態について説明する。
【００２７】
＜１．第１の実施の形態＞
＜１−１．デジタルカメラの構成＞
図１は、本発明の実施の形態に係る撮像装置であるデジタルカメラ１の主たる構成を示す断面図である。このデジタルカメラ１は、手振れによる画像中の被写体像のぶれを補正（抑制）する手振れ補正機能を有している。図に示すようにデジタルカメラ１は、主としてカメラ本体部２と、カメラ本体部２のハウジング２ａに固設される撮影レンズ３とから構成される。
【００２８】
なお、以下の説明においては、図に示すＸＹＺ３次元直交座標系を適宜用いて、方向及び向きを示すこととする。ここで、Ｚ軸方向は撮影レンズ３の光軸Ｌに沿った方向であり、Ｚ軸＋側は入射光の入射先となる向き（図において右向き）である。また、Ｙ軸方向は鉛直方向であり、Ｙ軸＋側は鉛直上向き（図において上向き）である。さらに、Ｘ軸方向は図面（紙面）に対しての垂直方向であり、Ｘ軸＋側は図面（紙面）に対する垂直下向きである。これらＸＹＺ軸は、カメラ本体部２のハウジング２ａに対して相対的に固定される。
【００２９】
撮影レンズ３は主として、鏡胴３１、並びに、鏡胴３１の内部に設けられる複数のレンズ群３２及び絞り３３から構成される。レンズ群３２には、焦点距離（撮影倍率）を変更するためのズーム用レンズや、焦点位置（被写体像の合焦状態）を変更するためのフォーカス用レンズ等が含まれている。撮影レンズ３を介して形成される光像は、結像されるＸＹ平面（以下、「結像平面」という。）上において光軸の位置を中心とした略円形状となり「イメージサークル」と呼ばれる。
【００３０】
撮影レンズ３の光軸Ｌの後方（Ｚ軸＋側）には、カメラ本体部２のハウジング２ａに収容されたＣＣＤ５が配置されている。ＣＣＤ５は、カラーフィルタがそれぞれ付された微細な画素群で構成される撮像素子であり、撮影レンズ３によって結像された光像を、例えばＲＧＢの色成分を有する画像信号に光電変換する。上述した結像平面はＣＣＤ５の受光面に一致するように調整されるため、イメージサークル中の一部の領域が画像として取得される。
【００３１】
ＣＣＤ５はＣＣＤ移動部５０内に固定されて配置される。ＣＣＤ５は、このＣＣＤ移動部５０によりＺ軸に直交するＸＹ平面内にて移動することが可能とされている。図２は、ＣＣＤ５を含めたＣＣＤ移動部５０の分解斜視図である。
【００３２】
図２に示すように、ＣＣＤ移動部５０は主として、ハウジング２ａに固設されるベース板５１と、ベース板５１に対してＸ軸方向に移動する第１スライダ５２と、第１スライダ５２に対してＹ軸方向に移動する第２スライダ５３との３つの部材から構成される。
【００３３】
ベース板５１は、撮影レンズ３からの入射光を通過可能に中央部が開口しており、Ｘ軸方向に延設される第１アクチュエータ５１１と、スプリング５５を掛けるための第１スプリング掛け５１２とを備えている。第２スライダ５３は、ＣＣＤ５を固設するための開口部５３３がその中央部に形成されるとともに、Ｙ軸方向に延設される第２アクチュエータ５３１と、剛球５４をＺ軸＋側及び−側の両面に遊嵌する剛球受け５３２とを備えている。また、第１スライダ５２は中央部が開口しており、第１アクチュエータ５１１に対向する第１摩擦結合部５２１と、第２アクチュエータ５３１に対向する第２摩擦結合部５２２とがそれぞれ設けられる。さらに、第１スライダ５２には、第１スプリング掛け５１２と対向するように、スプリング５５を掛けるための第２スプリング掛け５２３が設けられる。
【００３４】
第１アクチュエータ５１１及び第２アクチュエータ５３１の双方は、その延在方向に駆動自在な駆動ロッドを備えている。駆動ロッドは、アクチュエータ５１１，５３１に与えられる駆動信号に基づいて、その駆動信号が示す量及び向きに移動するようになっている。
【００３５】
ＣＣＤ移動部５０が組み上げられるときには、ＣＣＤ５が第２スライダ５３の開口部５３３に嵌合して固設されるとともに、第１アクチュエータ５１１の駆動ロッドと第１摩擦結合部５２１とが摩擦結合され、第２アクチュエータ５３１の駆動ロッドと第２摩擦結合部５２２とが摩擦結合される。また、ベース板５１と第１スライダ５２とは、スプリング５５によって相互に接近する向きに付勢される。このとき、第２スライダ５３は、ベース板５１と第１スライダ５２とに剛球５４を介して挟み込まれた状態とされる。これにより、Ｚ軸−側から＋側に向かって、ベース板５１、第２スライダ５３、第１スライダ５２の順に重なって、これら部材５１，５３，５２が配置されることとなる。
【００３６】
このようなＣＣＤ移動部５０が組み上げられた状態で、第１アクチュエータ５１１の駆動ロッドが移動すると、これに摩擦結合する第１摩擦結合部５２１の移動により第１スライダ５２がベース板５１に対してＸ軸方向に移動する。このとき、第１スライダ５２の移動にあわせて第２スライダ５３もベース板５１に対してＸ軸方向に移動する。また、第２アクチュエータ５３１の駆動ロッドが移動すると、これに摩擦結合する第２摩擦結合部５２２の移動により第２スライダ５３が第１スライダ５２に対してＹ軸方向に移動する。このとき、第１スライダ５２のベース板５１に対する移動はなされないため、第２スライダ５３は単独でベース板５１に対してＹ軸方向に移動することとなる。
【００３７】
前述したように、ベース板５１はハウジング２ａに固設され、ＣＣＤ５は第２スライダ５３に固設されることから、ＣＣＤ５はハウジング２ａに対してＸＹ平面（結像平面）内にて相対的に移動することとなる。また、撮影レンズ３はハウジング２ａに固設されることから、撮影レンズ３により形成されるイメージサークルの位置は、ハウジング２ａに相対的に固定される。したがって、上記のようなＣＣＤ移動部５０の構成により、撮影レンズ３により形成されるイメージサークル（光像）とＣＣＤ５の受光面との相対的な位置が変更可能とされる。すなわち、イメージサークルの全体に対する、画像として取得されるその一部領域の位置が相対的に変更可能とされるわけである。
【００３８】
図１に戻り、ＣＣＤ５のＺ軸＋側には、移動するＣＣＤ５の位置を検出するためのＣＣＤ位置センサ５８が配置されている。ＣＣＤ位置センサ５８は、発光ダイオード等で構成される２つの投光部５６ａ，５６ｂと、フォトダイオード等で構成される２つの受光部５７ａ，５７ｂとを備えている。投光部５６ａ，５６ｂはＣＣＤ５の裏面側（Ｚ軸＋側）に固設される一方、受光部５７ａ，５７ｂは投光部５６ａ，５６ｂにそれぞれ対向するようにカメラ本体部２のハウジング２ａに固設される。投光部５６ａ，５６ｂから投光された光は受光部５７ａ，５７ｂにて受光可能となっており、この受光部５７ａ，５７ｂにて受光する光の位置の変化から、ＣＣＤ５の位置がＸＹ座標位置として求められる。具体的には、第１投光部５６ａ及び第１受光部５７ａにてＣＣＤ５のＸ軸方向の位置を検出し、第２投光部５６ｂ及び第２受光部５７ｂにてＣＣＤ５のＹ軸方向の位置を検出するようになっている。なお、このようなＣＣＤ位置センサ５８は、磁気発生体（代表的には、電磁石や永久磁石）と磁気センサとで構成してもよい。
【００３９】
また、カメラ本体部２のハウジング２ａの内部には、デジタルカメラ１の手振れによる振動を検出する振動センサ４０が設けられている。振動センサ４０は、２つの角速度センサ（第１角速度センサ４１及び第２角速度センサ４２）を備えており、第１角速度センサ４１にてＸ軸を中心とした回転振動（ピッチング）Ｐｉの角速度が検出され、第２角速度センサ４２にてＹ軸を中心とした回転振動（ヨーイング）Ｙａの角速度が検出される。この振動センサ４０により検出される２つの角速度に基づいて、ＣＣＤ移動部５０によってＸ軸及びＹ軸の双方向にＣＣＤ５が移動されることにより、画像中の被写体像のぶれの補正、すなわち、手振れ補正がなされることとなる。したがって、デジタルカメラ１においてＣＣＤ移動部５０は、手振れ補正機能における駆動機構（手振れ補正機構）としての主要素となる。
【００４０】
カメラ本体部２の上面側にはシャッタボタン６１が設けられる。シャッタボタン６１は、撮像（露光開始）などの指示をユーザから受け付けるボタンである。また、カメラ本体部２の前面側には、デジタルカメラ１が配置されている場所周辺の環境音を検出するマイク２４が設けられている。
【００４１】
また一方、カメラ本体部２の背面側には、各種のユーザ操作を受け付ける操作部材６２と、設定用の画面（設定メニュー）や画像を表示する表示部６３とが設けられる。操作部材６２には、電源のオンオフを切り替える電源スイッチと、方向の指示を受け付ける十字キーと、決定の指示を受け付ける決定ボタンと、デジタルカメラ１の動作モードの切替指示を受け付けるモード切替スイッチとが含まれている。
【００４２】
本実施の形態のデジタルカメラ１の動作モードには、被写体を撮影して静止画像を記録する「静止画撮影モード」と、被写体を撮影して動画像を記録する「動画撮影モード」と、記録された画像を再生表示する「再生モード」とが含まれている。
【００４３】
表示部６３は、カラー表示が可能な液晶ディスプレイなどで構成される。「静止画撮影モード」や「動画撮影モード」の撮影待機状態においては、表示部６３に、被写体の状態を示す画像がライブに（リアルタイムに）表示されるライブビュー表示がなされる。ユーザは、このような表示部６３のライブビュー表示により被写体のその時点の状態を確認でき、表示部６３をファインダ替わりに利用できる。また、「再生モード」においては、記録された静止画像や動画像が表示部６３に再生表示される。
【００４４】
カメラ本体部２の内部には、各種データを記録するメモリカード９１（図３参照。）を挿入して装着することが可能とされる。メモリカード９１には、ＣＣＤ５にて取得された画像に基づく静止画像及び動画像が、所定形式のファイルとして記録される。
【００４５】
手振れ補正機能を含むデジタルカメラ１の各種の機能は、カメラ本体部２のハウジング２ａ内に設けられる全体制御部の制御に基づいて行われる。図３は、この全体制御部７を含めたデジタルカメラ１の主たる機能構成を機能ブロックとして示す図である。
【００４６】
図３に示すように、デジタルカメラ１の内部には、装置全体を制御する全体制御部７が設けられている。前述したＣＣＤ５、ＣＣＤ移動部５０、ＣＣＤ位置センサ５８、振動センサ４０、マイク２４、シャッタボタン６１、操作部材６２及び表示部６３等のデジタルカメラ１の各部はこの全体制御部７に電気的に接続され、全体制御部７の制御下にて動作する。これとともに、ＣＣＤ位置センサ５８にて検出されるＣＣＤ５の位置、振動センサ４０にて検出される角速度、マイク２４によって検出される環境音、シャッタボタン６１や操作部材６２の操作内容等は、それぞれ信号として全体制御部７に入力される。
【００４７】
レンズ駆動部２５は、撮影レンズ３に設けられる複数のレンズ群３２及び絞り３３を駆動し、撮影レンズ３における焦点距離、焦点位置及び絞り３３の開口径を調整する。レンズ駆動部２５も電気的に全体制御部７に接続され、全体制御部７の制御下にて動作する。
【００４８】
アクチュエータ駆動部２６は、ＣＣＤ移動部５０の第１アクチュエータ５１１及び第２アクチュエータ５３１を駆動する。具体的には、アクチュエータ駆動部２６は、全体制御部７からの信号に基づいて、必要な量及び向きにＣＣＤ５を移動させるような駆動信号をアクチュエータ５１１，５３１に送信する。
【００４９】
アクチュエータ駆動部２６はまた、全体制御部７からの信号に基づいてアクチュエータ５１１，５３１を駆動する駆動電流値を調整する。この駆動電流値が変化されると、これに応じてアクチュエータ５１１，５３１の駆動速度が変化する。したがって、この駆動電流値は、手振れ補正性能を規定する手振れ補正機能の制御値となる。すなわち、駆動電流値を比較的高くするとＣＣＤ移動部５０の反応が速くなって手振れ補正性能が向上し、逆に、駆動電流値を比較的低くするとＣＣＤ移動部５０の反応が遅くなって手振れ補正性能が低下する。また一方で、この駆動電流値は、静音性能を規定する制御値でもあり、ＣＣＤ移動部５０が発生する駆動音の音量（以下、単に「駆動音量」という。）に影響する。すなわち、駆動電流値を比較的高くするとＣＣＤ移動部５０で発生する駆動音量が比較的大きくなって静音性能が低下し、逆に、駆動電流値を比較的低くするとＣＣＤ移動部５０で発生する駆動音量も比較的小さくなって静音性能が向上することになる。
【００５０】
また、図３において、Ａ／Ｄ変換部２１、画像メモリ２２及び画像処理部２３は、ＣＣＤ５にて取得された画像を取り扱う処理部を示している。すなわち、ＣＣＤ５にて取得されたアナログ信号の画像は、Ａ／Ｄ変換部２１にてデジタル信号に変換されて、画像メモリ２２に格納される。画像メモリ２２に格納された画像は、画像処理部２３にて所定の画像処理が施され、所定形式のファイルとされてメモリカード９１へ記録される。「静止画撮影モード」においては、ＣＣＤ５によって得られた画像は例えばＥｘｉｆ形式の画像ファイルとされて記録される。一方、「動画撮影モード」においては、ＣＣＤ５によって得られた複数の画像に基づいて動画像が生成され、この動画像にマイク２４にて得られる環境音が動画用の音声として付加されて動画ファイルとされ、この動画ファイルが記録される。このような画像に対する画像処理部２３等による各種の画像処理も全体制御部７の制御に基づいて行われる。
【００５１】
全体制御部７は、マイクロコンピュータを備えて構成される。すなわち、全体制御部７は、各種演算処理を行うＣＰＵ７０と、演算を行うための作業領域となるＲＡＭ７１と、制御プログラム等が記憶されるＲＯＭ７２と、計時回路としてのタイマ７９とを備え、上述したようなデジタルカメラ１の各部の動作を統括的に制御する。
【００５２】
全体制御部７の各種の機能は、ＲＯＭ７２に記憶される制御プログラムに従ってＣＰＵ７０が演算処理を行うことにより実現される。このような制御プログラムは、予めＲＯＭ７２内に記憶されているものであるが、メモリカード９１から読み出すなどにより、新たな制御プログラムをＲＯＭ７２に格納することも可能とされている。
【００５３】
このような制御プログラムに従ったＣＰＵ７０の演算によって実現される全体制御部７の機能には、デジタルカメラ１の上述した各部の動作制御機能の他、絞り値（絞り３３の開口径に相当）や露光時間（シャッタスピードに相当）を調整して画像の明るさを適正にする露出制御機能や、被写体像が合焦するように焦点位置を調整するオートフォーカス機能等、種々の機能が含まれている。図３に示す手振れ制御部７３及び電流値制御部７４は、このような全体制御部７の機能の一部を模式的に示している。
【００５４】
手振れ制御部７３は、手振れ補正機能に係る制御を行う。つまり、手振れ制御部７３は、デジタルカメラ１の振動、すなわち、振動センサ４０から入力される２つの角速度に基づいて、アクチュエータ駆動部２６に信号を出力してＣＣＤ５を適宜移動させ、これにより手振れを適正に補正するように制御する。
【００５５】
電流値制御部７４は、アクチュエータ駆動部２６に信号を出力して、アクチュエータ５１１，５３１を駆動する駆動電流値を変更するように制御する。前述したように、この駆動電流値は、デジタルカメラ１の手振れ補正性能及び静音性能を規定する制御値である。電流値制御部７４は、このような駆動電流値を、マイク２４で得られた環境音の音量に基づいて調整する。
【００５６】
＜１−２．動作概要＞
デジタルカメラ１の手振れ補正機能は、「静止画撮影モード」及び「動画撮影モード」において能動化される。以下では、「静止画撮影モード」及び「動画撮影モード」それぞれにおけるデジタルカメラ１の基本的な動作について説明した後に、手振れ補正機能に係る動作を説明する。
【００５７】
まず、「静止画撮影モード」の動作について説明する。図４は、デジタルカメラ１の「静止画撮影モード」における動作の概略を示す図である。「静止画撮影モード」においては、デジタルカメラ１はまず、シャッタボタン６１の操作を待機する撮影待機状態となる。この撮影待機状態では、シャッタボタン６１が押下されるまでの間（ステップＳ１２にてＮｏの間）、表示部６３にてライブビュー表示が行われる。すなわち、所定時間ごとにＣＣＤ５により取得された画像が画像処理部２３等にて所定の処理がなされた後、表示部６３に順次表示される（ステップＳ１１）。
【００５８】
シャッタボタン６１が押下されると（ステップＳ１２にてＹｅｓ）、全体制御部７により、まず、露出制御（ＡＥ）及びフォーカス制御（ＡＦ）などの撮影準備処理がなされる。そして、手振れ制御部７３の制御により、ＣＣＤ５を移動させて被写体像のぶれを抑制する手振れ補正処理が開始される（ステップＳ１３）。
【００５９】
続いて、ＣＣＤ５にて露光が行われて画像が取得され（ステップＳ１４）、ＣＣＤ５における露光が終了すると、手振れ補正処理が終了される（ステップＳ１５）。その後、取得された画像に対して画像処理部２３にて所定の処理がなされて画像ファイルが生成され（ステップＳ１６）、生成された画像ファイルが全体制御部７の制御によりメモリカード９１に記録されることになる（ステップＳ１７）。画像ファイルが記録されると、デジタルカメラ１は再び撮影待機状態に戻ることになる。
【００６０】
次に、「動画撮影モード」の動作について説明する。図５は、デジタルカメラ１の「動画撮影モード」における動作の概略を示す図である。「動画撮影モード」においても、デジタルカメラ１はまず、シャッタボタン６１の操作を待機する撮影待機状態となる。そして、「静止画撮影モード」の同様に、シャッタボタン６１が押下されるまでの間（ステップＳ２２にてＮｏの間）、表示部６３にてライブビュー表示が行われる（ステップＳ２１）。
【００６１】
シャッタボタン６１が押下されると（ステップＳ２２にてＹｅｓ）、ＡＥ及びＡＦなどの撮影準備処理がなされるとともに、手振れ制御部７３の制御により、ＣＣＤ５を移動させて被写体像のぶれを抑制する手振れ補正処理が開始される（ステップＳ２３）。さらに、動画像に付与する環境音（音声）を録音するために、マイク２４による環境音の取得が開始される（ステップＳ２４）。
【００６２】
続いて、ＣＣＤ５にて露光が行われて画像が取得される（ステップＳ２５）。このようなＣＣＤ５による画像の取得は、動画撮影の終了指示となるシャッタボタン６１の再押下がなされるまで（ステップＳ２７にてＮｏの間）繰り返される。また、このような画像の取得が繰り返されている間においては、これと平行して、取得された画像を順次に結合することにより動画像を生成する処理が、画像処理部２３によりなされる（ステップＳ２６）。
【００６３】
このような状態でシャッタボタン６１が再押下されると（ステップＳ２７にてＹｅｓ）、動画撮影（画像の取得及び動画像の生成の繰り返し）が終了されるとともに、手振れ補正処理及び環境音の取得も終了される（ステップＳ２８，Ｓ２９）。続いて、生成された動画像に、マイク２４によって取得された環境音が、画像処理部２３により付加されて動画ファイルが生成される（ステップＳ３０）。生成された動画ファイルは、全体制御部７の制御によりメモリカード９１に記録される（ステップＳ３１）。動画ファイルが記録されると、デジタルカメラ１は再び撮影待機状態に戻ることになる。
【００６４】
＜１−３．手振れ補正処理＞
このように、手振れ補正処理は「静止画撮影モード」ではＣＣＤ５の露光中（図４：ステップＳ１３〜Ｓ１５）において、「動画撮影モード」では動画撮影中（図５：ステップＳ２３〜Ｓ２８）において、それぞれ手振れ制御部７３の制御によりなされるようになっている。以下、このような手振れ補正処理の流れについて説明する。
【００６５】
図６は、手振れ補正処理の動作の流れを示す図である。まず、電流値制御部７４によって、アクチュエータ５１１，５３１の駆動電流値を設定する電流値設定処理（詳細後述）がなされる（ステップＳ４１）。続いて、電流値制御部７４からアクチュエータ駆動部２６に信号が出力されて、アクチュエータ５１１，５３１への通電が開始される。このとき、駆動電流値は電流値設定処理にて設定された値とされる（ステップＳ４２）。
【００６６】
そして、以降、手振れ制御部７３の制御により、手振れ（被写体像のぶれ）を抑制するためのＣＣＤ５の移動動作（ステップＳ４３〜Ｓ４５）が繰り返されることとなる。すなわち、振動センサ４０により２つの角速度が検出され（ステップＳ４３）、この２つの角速度に基づいてイメージサークル全体における相対的な被写体像の移動位置が導出される（ステップＳ４４）。次に、導出された被写体像の移動位置に応じて、移動すべきＣＣＤ５の向き及び量が導出され、導出された向き及び量だけＣＣＤ５が移動するように、アクチュエータ駆動部２６からアクチュエータ５１１，５３１に駆動信号が送信される。これにより、イメージサークル中の被写体像とＣＣＤ５の受光面とが相対移動しないようにＣＣＤ５が移動される（ステップＳ４５）。
【００６７】
このようなＣＣＤ５の移動動作（ステップＳ４３〜Ｓ４５）は、「静止画撮影モード」ではＣＣＤ５の露光が完了するまで、「動画撮影モード」では動画撮影が完了するまで繰り返される（ステップＳ４７）。また、このようなＣＣＤ５の移動動作が繰り返されている間においては、電流値制御部７４による電流値設定処理も繰り返し行われる（ステップＳ４６）。
【００６８】
そして、ＣＣＤ５の移動動作を終了すべき際には（ステップＳ４７にてＹｅｓ）、アクチュエータ５１１，５３１への通電が停止されて（ステップＳ４８）、手振れ補正処理が終了することになる。
【００６９】
＜１−４．電流値設定処理＞
上述のように手振れ補正処理においては、ＣＣＤ５の移動動作（ステップＳ４３〜Ｓ４５）を行う前（ステップＳ４１）と、それを繰り返している最中（ステップＳ４６）とにおいて、電流値制御部７４により電流値設定処理がなされる。この電流値設定処理において、アクチュエータ５１１，５３１の駆動電流値が適宜変更されることにより、手振れ補正処理における手振れ補正性能と静音性能とが調整されることになる。
【００７０】
図７は、この電流値設定処理の流れを示す図である。電流値設定処理においては、まず、マイク２４において取得される環境音に基づいて、環境音の音量（以下、「環境音量」という。）が検出される。「動画撮影モード」では、動画像に付与する音声のために環境音が取得されているため、この環境音を使用すればよい（ステップＳＴ１１）。
【００７１】
次に、環境音量が所定のしきい値と比較され（ステップＳＴ１２）、その比較結果に基づいて駆動電流値が設定される。環境音量がしきい値より大きいときは、駆動電流値が比較的高い高電流値（基準的な基準電流値よりも高い電流値）に設定される（ステップＳＴ１３）。一方、環境音量がしきい値より小さいときは、駆動電流値が比較的低い低電流値（基準的な基準電流値よりも低い電流値）に設定される（ステップＳＴ１４）。なお、このようなしきい値、高電流値及び低電流値は、それぞれＲＯＭ７２などに予め記憶される。
【００７２】
このように、環境音量が比較的大きいときは駆動電流値が比較的高く設定され、手振れ補正性能が向上される。ただし、駆動音量が大きくなり静音性能が低下する。一方、環境音量が比較的小さいときは駆動電流値が比較的低く設定され、これにより駆動音量が小さくなり静音性能は向上する。ただし、手振れ補正性能は低下される。換言すれば、「手振れ補正性能の向上」という要請と「静音性能の向上」という要請との関係において、環境音量が比較的大きいときは「手振れ補正性能」が優先され、環境音量が比較的小さいときは「静音性能」が優先されるわけである。
【００７３】
一般に、ＣＣＤ移動部５０の駆動音を不快なものと人間が感じる程度（駆動音による弊害の程度）は、環境音量に応じて変化する。環境音量が比較的大きいときは駆動音は相対的に小さいために、その弊害の程度も小さくなる。つまり、このときには駆動音は、周囲の迷惑とならず、また、動画像ファイルの音声に駆動音が混入した場合もノイズとして大きな影響を及ぼすこともない。このようなことから、環境音量が比較的大きいときは、駆動電流値を比較的高く設定して、弊害の少ない静音性能を犠牲にしつつ「手振れ補正性能」を優先するわけである。
【００７４】
一方、環境音量が比較的小さいときは駆動音は相対的に大きいために、その弊害の程度も大きくなる。つまり、このときには駆動音は、博物館や展覧会場等の静粛さが要求される場所においては迷惑となる可能性があり、また、動画像ファイルの音声に駆動音が混入した場合にノイズとして大きな影響を及ぼすことになる。このようなことから、環境音量が比較的小さいときは、駆動電流値を比較的低く設定し、手振れ補正性能を多少犠牲にしつつも「静音性能」を優先するわけである。
【００７５】
＜１−５．まとめ＞
以上説明したように、本実施の形態のデジタルカメラ１では、環境音を検出し、その音量に応じて駆動電流値を設定するため、「手振れ補正性能」と「静音性能」とのバランスを適切にとることができることになる。より具体的には、環境音量が比較的小さいときは駆動電流値を小さくするため、静音性能が向上して駆動音による各種の弊害を効果的に防止できる。一方、環境音量が大きいときは、駆動電流値を大きくするため手振れ補正性能を向上することができることになる。
【００７６】
＜２．第２の実施の形態＞
次に、本発明の第２の実施の形態について説明する。本実施の形態のデジタルカメラ１の構成及び処理は第１の実施の形態とほぼ同様であるため、以下、相違点を中心に説明する。第１の実施の形態の手振れ補正処理においては、電流値制御部７４による駆動電流値を変更する機能（以下、「電流値変更機能」という。）が常に能動化され、「手振れ補正性能」及び「静音性能」が適宜変更されるようになっていた。しかしながら、ユーザによっては「手振れ補正性能」あるいは「静音性能」のいずれかを常に最大限に発揮させたいと希望することもあり得る。このため、本実施の形態のデジタルカメラ１においては、「手振れ補正性能」及び「静音性能」を変更するか固定するかをユーザが設定できるようになっている。
【００７７】
図８は、「手振れ補正性能」及び「静音性能」を変更するか固定するかの設定（以下、「性能変更設定」という。）をユーザから受け付ける設定メニューを示す図である。このような設定メニューは、「静止画撮影モード」あるいは「動画撮影モード」の撮影待機状態において操作部材６２を介して所定の操作を行うことで表示部６３に表示される。
【００７８】
図８に示すように、この画面においては「性能変更設定」のための設定項目として「変更」及び「固定」が選択可能に表示される。ここで「変更」とは、電流値変更機能を能動化して「手振れ補正性能」及び「静音性能」を適宜変更することを示しており、「固定」とは電流値変更機能を非能動化して「手振れ補正性能」及び「静音性能」を固定することを示している。したがって、このように「性能変更設定」をユーザから受け付けることは、電流値変更機能を能動化するか否かの能動設定をユーザから受け付けることに実質的に相当する。
【００７９】
このような画面においてユーザは、十字キーを操作してカーソルＣを所望の設定項目まで移動させ、決定ボタンを押下することにより、カーソルＣにより選択された設定項目を設定内容として確定することができる。このようにして確定された「性能変更設定」の設定内容は、全体制御部７に受け付けられてＲＡＭ７１に記憶される。
【００８０】
また、「性能変更設定」に「固定」が設定された場合（電流値変更機能を非能動化する設定の場合）は、さらに、「手振れ補正性能」及び「静音性能」を固定するに際して、いずれの性能を優先させるかの設定（以下、「優先性能設定」という。）を受け付けるための設定メニューが図９に示すように表示部６３に表示される。
【００８１】
この画面においては、「優先性能設定」のための設定項目として「手振れ補正性能」及び「静音性能」が選択可能に表示される。ここで、「手振れ補正性能」とは、手振れ補正性能を優先させるために、駆動電流値を高電流値に固定することを示している。一方、「静音性能」とは、静音性能を優先させるために、駆動電流値を低電流値に固定することを示している。したがって、このように「優先性能設定」をユーザから受け付けることは、駆動電流値に設定すべきユーザ設定値（「高電流値」又は「低電流値」）をユーザから受け付けることに実質的に相当する。
【００８２】
この画面においてもユーザは、十字キー及び決定ボタンを操作することにより所望の設定項目を設定内容として確定することができる。このようにして確定された「優先性能設定」の設定内容も、全体制御部７に受け付けられてＲＡＭ７１に記憶される。
【００８３】
本実施の形態のデジタルカメラ１では、このようにして設定された「性能変更設定」及び「優先性能設定」に従って、電流値設定処理がなされることになる。図１０は、本実施の形態の電流値設定処理の流れを示す図である。この電流値設定処理は、第１の実施の形態と同じく、手振れ補正処理においてＣＣＤ５の移動動作を行う前（図６：ステップＳ４１）と、それを繰り返している最中（図６：ステップＳ４６）とにおいてなされるものである。以下、この図を参照して本実施の形態の電流値設定処理について説明する。
【００８４】
まず、「性能変更設定」が「変更」と「固定」とのいずれに設定されているが判断される（ステップＳＴ２１）。「性能変更設定」が「変更」に設定されているときは、電流値変更機能が能動化されて、以降、ステップＳＴ２２〜ＳＴ２５においては、第１の実施の形態の処理（図７：ステップＳＴ１１〜ＳＴ１４）と同じ処理がなされる。すなわち、環境音量に応じて駆動電流値が設定され、「手振れ補正性能」及び「静音性能」が変更される。
【００８５】
一方、「性能変更設定」が「固定」に設定されているときは、電流値変更機能が非能動化されて、以降、環境音量に応じての駆動電流値の変更はなされなくなる。そして、「優先性能設定」が参照されて（ステップＳＴ２６）、「優先性能設定」が「手振れ補正性能」のときは駆動電流値がユーザ設定値としての高電流値に設定され（ステップＳＴ２７）、「優先性能設定」が「静音性能」のときは駆動電流値がユーザ設定値としての低電流値に設定されることになる（ステップＳＴ２８）。このステップＳＴ２６〜ＳＴ２８の処理は、手振れ補正処理における最初の電流値設定処理のときにのみ１回だけ行われ、以降、駆動電流値は固定されることになる。
【００８６】
以上のように、本実施の形態のデジタルカメラ１では、電流値変更機能を能動化するか否かの能動設定をユーザから受け付けることが可能であり、設定された能動設定に従って電流値変更機能が能動化／非能動化される。このため、ユーザが所望する場合は、「手振れ補正性能」及び「静音性能」が変更されないようにすることができる。
【００８７】
また、電流値変更機能を非能動化するときに駆動電流値に設定すべきユーザ設定値をユーザから受け付け、このユーザ設定値に駆動電流値が固定されるため、「手振れ補正性能」と「静音性能」とのいずれを優先させるかをユーザが所望により選択することができる。
【００８８】
＜３．第３の実施の形態＞
次に、本発明の第３の実施の形態について説明する。本実施の形態のデジタルカメラ１の構成及び処理も第１の実施の形態とほぼ同様であるため、以下、相違点を中心に説明する。第１の実施の形態においては、環境音量と比較するしきい値は固定されていた。しかしながら、しきい値を固定すると、環境音量が当該しきい値の近傍でしきい値を跨ぐように変動した場合にあっては、環境音量がしきい値を跨ぐごとに「手振れ補正性能」及び「静音性能」が変更されることになる。これにより、駆動音量が頻繁に変更されると、例えば、この駆動音量の変動現象そのものがノイズとなってしまうなどの弊害が生じる可能性がある。このような現象を防止するため、本実施の形態の電流値設定処理においては、しきい値が適宜変更されるようになっている。
【００８９】
図１１は、本実施の形態の電流値設定処理の流れを示す図である。この電流値設定処理は、第１の実施の形態と同じく、手振れ補正処理においてＣＣＤ５の移動動作を行う前（図６：ステップＳ４１）と、それを繰り返している最中（図６：ステップＳ４６）とにおいてなされるものである。以下、この図を参照して本実施の形態の電流値設定処理について説明する。
【００９０】
まず、その時点において設定されている駆動電流値が参照され、高電流値と低電流値とのいずれに設定されているかが判断される（ステップＳＴ３１）。駆動電流値が高電流値に設定されている場合は、しきい値が比較的小さな「低しきい値」（基準的な基準しきい値よりも小さなしきい値）に設定される（ステップＳＴ３２）。一方、駆動電流値が低電流値に設定されている場合は、しきい値が比較的大きな「高しきい値」（基準的な基準しきい値より大きなしきい値）に設定される（ステップＳＴ３３）。
【００９１】
そして以降は、第１の実施の形態の処理（図７：ステップＳＴ１１〜ＳＴ１４）と同様の処理がなされる。すなわち、環境音量が検出され（ステップＳＴ３４）、この環境音量と設定されたしきい値とが比較される（ステップＳＴ３５）。そして、環境音量がしきい値より大きいときは駆動電流値が高電流値に設定され（ステップＳＴ３６）、環境音量がしきい値より小さいときは駆動電流値が低電流値に設定されることになる（ステップＳＴ３７）。
【００９２】
例えば、ある時点（以下、「第１時点」という。）において、環境音量がしきい値よりも大きくなり、駆動電流値が低電流値から高電流値に変更された場合を想定する。第１時点においては駆動電流値は低電流値であるため、しきい値としては「高しきい値」が設定される。そして、第１時点より後では、駆動電流値は高電流値とされるため、しきい値としては「低しきい値」が設定される。つまり、環境音量が一旦「高しきい値」よりも大きくなると、以降は、環境音量が「低しきい値（＜高しきい値）」よりも小さくならない限りは、駆動電流値は変更されないことになる。
【００９３】
また逆に、ある時点（以下、「第２時点」という。）において、環境音量がしきい値よりも小さくなり、駆動電流値が高電流値から低電流値に変更された場合を想定する。第２時点において、駆動電流値は高電流値であるため、しきい値としては「低しきい値」が設定される。そして、第２時点より後では、駆動電流値は低電流値とされるため、しきい値としては「高しきい値」が設定される。つまり、環境音量が一旦「低しきい値」よりも小さくなると、以降は、環境音量が「高しきい値（＞低しきい値）」よりも大きくならない限りは、駆動電流値は変更されないことになる。
【００９４】
このように、本実施の形態のデジタルカメラ１では、一旦駆動電流値が変更されると、駆動電流値がすぐには変更されないようにしきい値が調整されることになる。このため、駆動音量が頻繁に変更されることを防止することができる。
【００９５】
＜４．第４の実施の形態＞
次に、本発明の第４の実施の形態について説明する。本実施の形態のデジタルカメラ１の構成及び処理も第１の実施の形態とほぼ同様であるため、以下、相違点を中心に説明する。第３の実施の形態においては、しきい値を調整することで駆動音量の頻繁な変更を防止していたが、本実施の形態では、一旦駆動電流値を変更したときは、その変更の時点から所定時間が経過するまでは駆動電流値を変更しないことで、駆動音量の頻繁な変更を防止している。
【００９６】
図１２は、本実施の形態の電流値設定処理の流れを示す図である。この電流値設定処理は、第１の実施の形態と同じく、手振れ補正処理においてＣＣＤ５の移動動作を行う前（図６：ステップＳ４１）と、それを繰り返している最中（図６：ステップＳ４６）とにおいてなされるものである。以下、この図を参照して本実施の形態の電流値設定処理について説明する。
【００９７】
まず、全体制御部７のタイマ７９が計時中か否かが判定される（ステップＳＴ４１）。詳細は後述するが、このタイマ７９は、駆動電流値が変更された時点で計時が開始されるものである（ステップＳＴ４８，ＳＴ４９）。タイマ７９が計時中でなければ、処理はそのままステップＳＴ４４に進む。
【００９８】
ステップＳＴ４４〜ＳＴ４７においては、第１の実施の形態の処理（図７：ステップＳＴ１１〜ＳＴ１４）と同じ処理がなされる。すなわち、環境音量が検出され（ステップＳＴ４４）、この環境音量と設定されたしきい値とが比較される（ステップＳＴ４５）。そして、環境音量がしきい値より大きいときは駆動電流値が高電流値に設定され（ステップＳＴ４６）、環境音量がしきい値より小さいときは駆動電流値が低電流値に設定されることになる（ステップＳＴ４７）。
【００９９】
駆動電流値が設定されると、この設定において駆動電流値が変更されたか否かが判定され（ステップＳＴ４８）、駆動電流値が変更されたときはタイマ７９の計時が開始される（ステップＳＴ４９）。したがって、このタイマ７９による計時時間は、駆動電流値の直近の変更の時点からの経過時間を示すことになる。
【０１００】
ステップＳＴ４１にて、このタイマ７９が計時中であったときは（ステップＳＴ４１にてＹｅｓ）、計時時間が所定時間（例えば、５秒〜１０秒程度）を経過したか否かが判定される（ステップＳＴ４２）。そして、計時時間が所定時間を経過していない場合は（ステップＳＴ４２にてＮｏ）、そのまま電流値設定処理が終了される。つまり、環境音量に応じて駆動電流値を変更する処理（ステップＳＴ４４〜ＳＴ４７）がなされないことになる。換言すれば、駆動電流値の変更の時点から所定時間が経過するまで、電流値制御部７４による駆動電流値を変更する機能（電流値変更機能）が非能動化されるわけである。
【０１０１】
なお、計時時間が所定時間を経過した以降においては（ステップＳＴ４２にてＹｅｓ）、タイマ７９の計時が停止され（ステップＳＴ４３）、環境音量に応じて駆動電流値を変更する処理（ステップＳＴ４４〜ＳＴ４７）がなされる。つまり、電流値変更機能が能動化されるわけである。
【０１０２】
このように、本実施の形態のデジタルカメラ１では、駆動電流値を変更してから所定時間が経過するまでの間は、電流値変更機能が非能動化される。このため、一旦駆動電流値が変更されると制御値がすぐには変更されないため、駆動音量が頻繁に変更されることを防止することができる。
【０１０３】
＜５．変形例＞
以上、本発明の実施の形態について説明してきたが、この発明は上記実施の形態に限定されるものではなく様々な変形が可能である。
【０１０４】
上記実施の形態では、手振れ補正方式は撮像素子を移動させる方式であったがこれに限定されず、撮影レンズを介して結像される光像（イメージサークル）と、画像として取得されるその一部領域との相対的な位置を変更するものであれば、他の方式であってもよい。例えば、撮影レンズのうちの一部の補正レンズをＸＹ平面にて移動させる方式などを採用することができる。
【０１０５】
また、上記実施の形態では、駆動音量に影響する手振れ補正機能の制御値として駆動電流値を変更していたが、例えば、駆動電圧値、駆動周波数あるいは駆動デューティなどの他の制御値を変更するものであってもよい。ここで、駆動電圧値とはアクチュエータに印加する電圧値であり、駆動周波数とはＣＣＤ５の移動動作を行う駆動周期（時間間隔）の逆数であり、駆動デューティとは駆動周期において電圧を印加する時間割合である。いずれの制御値を変更した場合も、これに応じてアクチュエータ５１１，５３１の駆動速度が変化し、上記と同様に、手振れ補正性能及び静音性能が変更されることになる。また、駆動電流値、駆動電圧値、駆動周波数及び駆動デューティなどのうちの複数の制御値を変更するものであってもよい。
【０１０６】
また、上記実施の形態では、制御値を２段階で変更するものであったが、３以上の段階で変更するものであってもよい。また、環境音量を変数とする所定の関数に、実際の環境音量を代入して制御値を導出するようにしてもよい。
【０１０７】
また、上記実施の形態では、環境音量に基づいて制御値を変更していたが、例えば、環境光や環境温度などの他の環境状態に基づいて制御値を変更するものであってもよい。たとえば、環境光のＲＧＢ分布を検出することによりその環境光が太陽光であるかそれとも人工光であるかを判断する。太陽光の場合（特に強い太陽光の場合）には屋外での撮影を行っていると推定されるが、室内と比較して屋外では手振れ補正手段の駆動音量が比較的大きくてもかまわない場合が多い。このため、太陽光下での撮影の場合には手振れ補正手段の駆動電流値を減少させないという制御も可能である。さらに、環境音量の状態と、これらの他の環境状態とを組み合わせに基づいて制御値を変更することも可能であり、環境音量だけでなく環境音の他の特性量（たとえば環境音の周波数の高低など）を考慮した制御も可能である。
【０１０８】
上記実施の形態にて説明した撮像装置としてのデジタルカメラは、静止画像及び動画像の双方を取得可能なものであったが、静止画像及び動画像のいずれかのみを取得可能な撮像装置であっても、本発明にかかる技術を適用することが可能である。また、デジタルカメラに限定されず、フィルムを用いた銀塩カメラでも本発明にかかる技術を適用可能である。
【図面の簡単な説明】
【０１０９】
【図１】デジタルカメラの主たる構成を示す断面図である。
【図２】ＣＣＤ移動部の分解斜視図である。
【図３】デジタルカメラの主たる機能構成を示すブロック図である。
【図４】静止画撮影モードにおける動作の概略を示す図である。
【図５】動画撮影モードにおける動作の概略を示す図である。
【図６】手振れ補正処理の動作の流れを示す図である。
【図７】第１の実施の形態の電流値設定処理の流れを示す図である。
【図８】性能変更設定をユーザから受け付けるための設定メニューを示す図である。
【図９】優先性能設定をユーザから受け付けるための設定メニューを示す図である。
【図１０】第２の実施の形態の電流値設定処理の流れを示す図である。
【図１１】第３の実施の形態の電流値設定処理の流れを示す図である。
【図１２】第４の実施の形態の電流値設定処理の流れを示す図である。
【符号の説明】
【０１１０】
１      デジタルカメラ
２４      マイク
２６      アクチュエータ駆動部
４０      振動センサ
５０      ＣＣＤ移動部
６３      表示部
７      全体制御部
７４      電流値制御部
【図１】
2006074652.tif 000003
【図２】
2006074652.tif 000004
【図３】
2006074652.tif 000005
【図４】
2006074652.tif 000006
【図５】
2006074652.tif 000007
【図６】
2006074652.tif 000008
【図７】
2006074652.tif 000009
【図８】
2006074652.tif 000010
【図９】
2006074652.tif 000011
【図１０】
2006074652.tif 000012
【図１１】
2006074652.tif 000013
【図１２】
2006074652.tif 000014